(57)【要約】【課題】冷却器に備えた除霜ヒータの保護装置には、外部からの水分侵入による原因で動作温度にずれが生じる課題があった。【解決手段】冷却器のエンドプレートに密着して固定される温度ヒューズ４１とこれに接続するビニル電線５１が熱可塑性のチューブ５３により封入され、チューブ５３の端部を熱溶着させ気密構造とした保護装置４０において、温度ヒューズ４１とビニル電線５１を接続した後、ビニル電線５１の芯線の露出部を封止剤５２で止水処理するので、ビニル電線の隙間からの水分の侵入を防ぐことが出来、保護装置４０の動作を安定させることが出来る。【選択図】図４
2011012815.tif 000002
【特許請求の範囲】
【請求項１】
除霜手段として加熱装置を備えた冷却器と、前記冷却器が所定温度に達するのを検知し、前記加熱装置の回路を遮断する保護装置において、前記保護装置は冷却器と密着して固定され、保護装置に内蔵される保護部品と、保護部品と接続するビニル電線の芯線部は熱可塑性のビニルチューブにより覆われ、前記ビニル電線の芯線露出部に封止剤が塗布され、前記熱可塑性のチューブの端部を熱溶着で封止させチューブ内部を気密にさせたことを特徴とする冷却装置の保護装置。
【請求項２】
除霜手段として加熱装置を備えた冷却器と、前記冷却器が所定温度に達するのを検知し、前記加熱装置の回路を遮断する保護装置において、前記保護装置は冷却器と密着して固定され、保護装置に内蔵される保護部品と、保護部品と接続するビニル電線の芯線部は熱収縮チューブにより覆われ、前記ビニル電線の芯線露出部とビニル電線の皮膜端部に封止剤が塗布され、前記熱収縮チューブを加熱により収縮させ保護装置と密着させたことを特徴とする冷却装置の保護装置。
【発明の詳細な説明】
【技術分野】
【０００１】
本発明は、冷却装置における除霜用加熱装置の保護装置の防水構造に関する。
【背景技術】
【０００２】
従来、冷蔵庫などの冷却装置における冷却器の除霜装置として除霜ヒータ等の加熱装置が用いられているが、除霜ヒータの温度が異常に上昇するのを防ぐ方法として温度ヒューズなどの保護部品を内蔵した保護装置を冷却器に備えている。保護装置は冷却器の温度を検知させるため冷却器の一部に直接取り付ける必要があるが、霜は保護装置の周辺にまで成長するため、防水構造をとらない保護部品を使用する場合、保護装置は防水構造とする必要がある。
【０００３】
例えば特許文献１に記載されるような、温度ヒューズとビニル電線を接続したものを熱可塑性樹脂のチューブに収容し、チューブの端部を溶着させて気密構造となるようにした防水機能を備えると共に電気的絶縁性も確保した保護装置が使用されていた。
【特許文献１】実公平４−３０７５３号公報
【発明の開示】
【発明が解決しようとする課題】
【０００４】
しかるに特許文献１のような防水構造の保護装置を、冷蔵庫における冷却器の除霜ヒータの保護装置として適用した場合、チューブ端部からの水の浸入はほとんどないはずなのに温度ヒューズの動作温度が水分による影響でずれが生じることがある。これは温度ヒューズと接続するビニル電線の芯線の隙間を通って外気がチューブ内に侵入することで、外気に混ざって侵入した水分が冷気により凝縮しチューブ内に滞留してしまうためである。
【０００５】
冷却運転中において冷却器はほぼ一定温度で保たれるが、冷蔵庫内の水分が冷却器のフィンなどに凝縮し、霜となって成長したものを取り除くため１日平均数サイクルの除霜運転が行なわれる。この冷却運転から除霜運転完了までの１サイクルで、冷却器周辺温度は約−２０℃〜＋３０℃まで変動するため、冷却器と密着する保護装置のチューブの内部では封入された空気の膨張、収縮によりポンプ効果が生じ、ビニル電線の芯線の露出部より外気の行き来が行なわれる。外気に混入して保護装置のチューブ内に到達した水分は、冷却運転の再開によりチューブ内部で凝縮し滞留するので、防水構造をとらない温度ヒューズに動作温度のずれを生じさせるなどの不具合の原因となっていた。
本発明は上記のような事情に基づいて完成されたもので、その目的は安定した保護動作を提供することを目的とする。
【課題を解決するための手段】
【０００６】
上記課題を解決させるため、温度ヒューズ等の保護部品を熱可塑性のチューブに内蔵した保護装置の防水構造において、チューブ内部における温度ヒューズのリード線と接続するビニル電線の芯線の露出部は止水処理を施したところに特徴を有する。
【０００７】
また、温度ヒューズのリード線とビニル電線を接続するビニル電線の芯線露出部に止水処理を施し、温度ヒューズと接続するビニル電線の芯線露出部を熱収縮チューブで覆い、加熱収縮させて防水・絶縁構造としたところに特徴を有する。
【発明の効果】
【０００８】
本発明によれば、保護装置の周囲の温度変動によりチューブに封入された空気の膨張、収縮があっても、保護装置に内蔵された温度ヒューズと接続するリード線の端部は止水処理されているので、外気の侵入経路が封止され、チューブ内部へ水の浸入を防ぐことが出来、信頼性の高い保護装置を提供することが出来る。
【０００９】
また、本発明によれば、保護装置に内蔵された温度ヒューズと接続するリード線の端部は止水処理されており、さらに熱収縮チューブにより保護装置内部の空気を逃がして防水、絶縁処理を行なうので温度ヒューズの周囲に封入される空気が微量のため、ポンプ効果による水の浸入を防ぐことが出来、信頼性の高い保護装置を提供することが出来る。
【発明を実施するための最良の形態】
【００１０】
本発明の実施形態を図にもとづいて説明する。本実施形態では業務用の縦型冷蔵庫を例示している。図１は本実施形態では業務用の縦型冷蔵庫の正面図で、図２は左側面からみた冷凍ユニット周辺の断面図で、図３は冷却器への保護装置の取付けを示す斜視図で、図４は第１実施例による保護装置の部分断面図で、図６は第２実施例による保護装置の部分断面図である。
図１から図３において、冷蔵庫１０は正面側に開口部が形成された冷蔵庫本体１０の内部に冷蔵室１１が配され、正面開口部には断熱扉１２が配される。冷蔵庫１０の天井壁１０Ａの中央には別の開口部１５が形成され、天井壁１０Ａの上面には開口部１５を囲むようにパッキン１６が備えられる。冷凍ユニット２０は開口部１５に積載され、パッキン１６と密着した状態で天井壁１０Ａに固定される。冷凍ユニット２０は冷凍装置がユニット台２３に組み込まれたもので、ユニット台２３の上面に圧縮機２１、凝縮装置２２等が積載され、ユニット台２３の下面には冷却器３０が備え付けられている。冷却器３０の前方には庫内送風機２４を備えた冷却器カバー２５により冷却室が構成され、冷蔵室１１内の空気が冷却室に取り込まれ冷却器３０と熱交換が行われる。
【００１１】
冷却運転中において冷蔵室１１の水分の一部は冷却室での熱交換が行われる際に冷却器のフィン３４などに凝縮し、これが凍結して霜となり成長する。この霜を取り除くため定期的に加熱装置に通電し除霜運転が行われるよう、制御部（図示せず）は自動除霜運転サイクルが設定されている。
除霜運転が始まると圧縮機２１と凝縮装置２２などへの通電が止められ、冷却装置の運転が停止する。庫内送風機２３が停止し、冷蔵室１１の空気の循環が止められた後、冷却器３０の下部に除霜ヒータ固定板３３により冷却器３０に固定された加熱装置である除霜ヒータ３２へ通電が開始される。除霜ヒータは冷却器のエンドプレート３１、フィン３４に接触し固定されるので、除霜ヒータ３２から発生した熱は冷却器３０全体を昇温させ霜を融解し除去することができる。
【００１２】
制御部は冷却器のフィン３４に取り付けられたサーミスタ（図示せず）により除霜運転中の冷却器３０の温度を測定し、現在の冷却器の表面温度を判断する。除霜完了温度を検知すると制御部は除霜ヒータへの通電を停止した後、水滴が冷却器より落下するまでの水切り時間が経過した後、除霜運転が完了したものとして冷却装置の運転を再開させる。
【００１３】
もしこのサーミスタ、もしくはサーミスタの信号線に不具合があった場合、除霜完了温度を検知できなくなるため、除霜ヒータ３２は通電されたままになり冷却器が昇温し続けるため、冷蔵室１１の温度が上がり貯蔵物の鮮度に影響を及ぼすおそれがある。これを防ぐために除霜完了温度より数十度高い温度になった場合、回路を遮断する保護装置４０が冷却器に設けられる。図３に示すように保護装置４０は、冷却器のエンドプレート３１にアルミニウム製の固定具６０の保護装置収容部６１に収められた状態で装着される。除霜ヒータ３２から発生する熱はエンドプレート３１に伝わり、エンドプレート３１に密着した固定具６０も同様に昇温するので、保護装置４０は両端部を除く温度ヒューズの周囲から取り囲むように熱が伝えられるため、保護装置の動作が確実におこなえる。
【００１４】
冷却運転から除霜運転完了までのサイクルで、冷却器は低温において約−２０℃まで降下したものが、除霜完了直後には約＋３０℃まで昇温する。この温度変動で冷却器に密着して取り付けられる保護装置４０のチューブ４１により封入された空気もまた同程度の温度変動が起こり、チューブ内の空気が膨張し、ビニル電線の芯線と皮膜の隙間、または芯線同士の隙間を通して外気を取り込もうとする。図２における保護装置４０から延出するビニル電線５１は、ユニット台２３に設けられた開口部２３Ａを通され、図示しない制御部を収納する電装箱に接続されるが、ビニル電線５１の端部を端子加工するため、皮膜部が除去され芯線部が露出された状態になるため矢印のように外気の侵入が可能となる。
【００１５】
＜第１の実施形態＞
図４は本案の保護装置の第１実施形態の部分断面図で、図５は第１実施形態の保護装置４０が（ａ）、（ｂ）、（ｃ）、（ｄ）の順で製作される工程を示している。図５（ａ）において温度ヒューズ４１は例えば＋９０℃にて通電を遮断するもので、両端からはリード線４２が延出し、ビニル電線５１の芯線と端子４３により締結される。ビニル電線５１の端部の皮膜が取り除かれ芯線が露出した部分にシリコン剤などの絶縁物質からなる封止剤５２を塗布する。図５（ｂ）において温度ヒューズ４１から端子４３、封止剤５２を十分覆うことのできる長さの熱可塑性で絶縁特性の優れたチューブ５３が挿入され、温度ヒューズ４１の長さ方向の中心とチューブ５３の長さ方向の中心がほぼ同じ位置となるようにする。図５（ｃ）においてチューブ５３の端部と封止剤５２と中間ほどの位置を高周波溶着などでチューブ５３の一部とビニル電線５１の一部を溶着させる。この溶着部４４により保護装置４０は端部を封止する気密性と、チューブ５３がビニル電線に対し固定されることによる温度ヒューズ４１のリード線４２、ビニル電線の芯線部に対して十分な絶縁性を備えることが出来る。
【００１６】
図５（ｄ）においてチューブ５３の端部の開口部と溶着部４４の空間に封止剤５４を充填することで、気密特性をより向上させることが出来る。封止剤５４は芯線の止水用に使用した封止剤５２と同材質で、封止剤５２と封止剤５４は、同時に乾燥させることできるので作業効率が向上する。
【００１７】
＜第２の実施形態＞
次に図６及び図７に示す第２実施形態の説明をする。図６は第２実施形態の部分断面図で、図７は第２実施形態の保護装置１４０が（ａ）、（ｂ）、（ｃ）の順で製作される工程を示している。図７（ａ）において温度ヒューズ４１は第１実施例と同じ仕様のもので、両端からはリード線４２が延出し、ビニル電線５１の芯線と端子４３により締結される。ビニル電線５１の端部の皮膜が取り除かれ芯線が露出した部分にシリコン剤などの絶縁物質からなる封止剤１５２を塗布する。このとき封止剤１５２は同時にビニル電線５１の端部皮膜にも覆うように塗布する。図７（ｂ）において、温度ヒューズ４１から端子４３、封止剤１５２を十分覆うことのできる長さの熱収縮チューブ１００を挿入する。熱収縮チューブは透明のものを使用すると防水材の注入具合を目視で確認できる他、温度ヒューズの型式・動作温度を確認でき、異なる温度ヒューズ仕様との混入を防ぐことが出来る。図７（ｃ）において、熱収縮チューブ１００全体を加熱し収縮させ、チューブ内部の空気を逃がしながら両端を封止し気密性を向上させる。温度ヒューズ４１の周りに封入される空気は微量となるため、ポンプ効果がほとんど無視できることと、ビニル電線５１の芯線露出部に封止剤５２を塗布し、止水されるので外気に混入した水分が熱収縮チューブ１００内部に侵入、滞留することはない。
【００１８】
＜その他の実施形態＞
（１）第１の実施形態において、温度ヒューズのリード線と芯線の接続は端子を使用したカシメに限らず溶接による接続でも良い。
（２）第１の実施形態においてチューブ内でビニル電線をＵターンさせ、チューブの１端から２本のビニル電線を出し、チューブの端部を溶着するものでも良い。
（３）第２の実施形態において、封止剤１５２は温度ヒューズのリード線部まで塗布するものでもよく、さらに気密性を向上することが出来る。
（４）第１及び第２の実施形態において、保護装置に内蔵される保護部品は温度ヒューズに限らず、サーマルプロテクタを保護部品とするものでも良い。
【図面の簡単な説明】
【００１９】
【図１】本発明が適用される冷蔵庫の正面図
【図２】図１の冷蔵庫の断面図
【図３】保護装置の取り付けを示す斜視図
【図４】本発明の第１の実施形態による保護装置の部分断面図
【図５】本発明の第１の実施形態による保護装置の製作工程を示す構成図
【図６】本発明の第２の実施形態による保護装置の部分断面図
【図７】本発明の第２の実施形態による保護装置の製作工程を示す構成図
【図８】従来の保護装置の製作工程を示す構成図
【符号の説明】
【００２０】
１０…冷蔵庫本体  １１…冷蔵室  １２…断熱扉  １５…開口部  ２０…冷蔵ユニット  ２１…圧縮機  ２２…凝縮装置  ２４…庫内送風機  ２５…冷却器カバー  ３０…冷却器  ３１…エンドプレート  ３２…除霜ヒータ  ３３…除霜ヒータ固定板  ４０…保護装置  ４１…温度ヒューズ  ４２…リード線  ４３…端子  ５０、５３…チューブ    ５２、５４、１５２…封止剤  ６０…固定金具  ６１…保護装置収容部  ７０…従来の保護装置  １００…熱収縮チューブ
【図１】
2011012815.tif 000003
【図２】
2011012815.tif 000004
【図３】
2011012815.tif 000005
【図４】
2011012815.tif 000006
【図５】
2011012815.tif 000007
【図６】
2011012815.tif 000008
【図７】
2011012815.tif 000009
【図８】
2011012815.tif 000010